(57)【要約】【課題】通信端末装置側でのユーザニーズに沿った情報配信サービスを享受する。【解決手段】通信端末装置は、情報提供先から配信される複数種の配信情報を受信する配信情報受信部１２１と、配信情報受信部１２１にて受信された配信情報を報知する報知部１４、１５と、各種データを記憶する記憶部１３と、記憶部１３に記憶されたデータからキーワードを抽出するキーワード抽出部１２２と、キーワード抽出部１２２にて抽出されたキーワードに応じて報知部（音声処理部１４または表示部１５）での配信情報の報知態様を変更する報知態様変更部１２３と、により構成される。【選択図】図１
2008252347.tif 000002
【特許請求の範囲】
【請求項１】
情報提供先から配信される複数種の配信情報を受信する配信情報受信部と、
前記配信情報受信部にて受信された前記配信情報を報知する報知部と、
各種データを記憶する記憶部と、
前記記憶部に記憶された前記データからキーワードを抽出するキーワード抽出部と、
前記キーワード抽出部にて抽出された前記キーワードに応じて前記報知部での前記配信情報の報知態様を変更する報知態様変更部と、
を備えることを特徴とする通信端末装置。
【請求項２】
前記記憶部は、
位置情報を含むデータを記憶し、
前記キーワード抽出部は、
前記位置情報をキーワードとして抽出し、
前記報知態様変更部は、
前記位置情報に関する情報を含む前記配信情報を優先的に報知する
ことを特徴とする請求項１に記載の通信端末装置。
【請求項３】
前記記憶部は、
使用者情報を含むデータを記憶し、
前記キーワード抽出部は、
前記使用者情報をキーワードとして抽出し、
前記報知態様変更部は、
前記使用者情報に関する情報を含む前記配信情報を優先的に報知する
ことを特徴とする請求項１又は２に記載の通信端末装置。
【請求項４】
前記記憶部は、
スケジュール情報を含むデータを記憶し、
前記キーワード抽出部は、
前記スケジュール情報をキーワードとして抽出し、
前記報知態様変更部は、
前記スケジュール情報に関する情報を含む前記配信情報を優先的に報知する
ことを特徴とする請求項１乃至３のいずれか１項に記載の通信端末装置。
【請求項５】
前記キーワード抽出部は、
前記配信情報が配信された月日に対応して記憶されている前記スケジュール情報からキーワードを抽出する
ことを特徴とする請求項４に記載の通信端末装置。
【請求項６】
前記記憶部は、
送信または受信されたメールのデータを記憶し、
前記キーワード抽出部は、
前記メールに含まれるキーワードを抽出し、
前記報知態様変更部は、
前記メールに含まれるキーワードに関する情報を含む前記配信情報を優先的に報知する
ことを特徴とする請求項１に記載の通信端末装置。
【請求項７】
前記キーワード抽出部は、前記配信情報が配信された月日に受信又は送信されたメールからキーワードを抽出する
ことを特徴とする請求項６に記載の通信端末装置。
【請求項８】
使用者の選択操作によって前記配信情報の報知優先度を設定可能な優先度設定部を備え、
前記報知態様変更部は、
前記キーワード抽出部にて抽出されたキーワードが複数ある場合に、前記優先度設定部にて設定された前記配信情報の報知優先度に応じて、キーワードに関する情報を含む配信情報を優先的に報知する
ことを特徴とする請求項１乃至７のいずれか１項に記載の通信端末装置。
【請求項９】
情報提供先から配信される複数種の配信情報を受信する配信情報受信部と、各種データを記憶する記憶部と、報知部とを備えた通信端末装置における制御方法であって、
前記受信された配信情報を前記報知部に報知するステップと
前記記憶部に記憶されたデータの中からキーワードを抽出するステップと、
前記抽出されたキーワードに応じて前記報知部での前記配信情報の報知態様を変更するステップと、
を有することを特徴とする通信端末装置における制御方法。
【発明の詳細な説明】
【技術分野】
【０００１】
本発明は、通信端末装置および同装置における制御方法に関するものである。
【背景技術】
【０００２】
多数のユーザに情報を一斉配信するサービスの一つとして、ＢＣＭＣＳ（Broadcast／Multicast Service）が知られている。このサービスによれば、基地局とユーザとの間に１対１の無線回線を用意する必要が無いため、ユーザ数は増えても配信するデータ量は変わらず、したがって、大量、かつ、大容量の配信を一定のスループットで効率的に行うことができる。
また、リアルタイムに情報の配信が可能であるため、ニュースや天気予報等の配信に便利であり、更に、無線通信網のリソースを気にすることなくコンテンツの配信が可能であるため、映像や音楽等の大容量コンテンツの配信も可能である。
【０００３】
一方、上記した基地局を含む網側装置（コンテンツサーバ）が持つ一斉配信機能に対応して、マルチキャストあるいはユニキャストによって配信されるコンテンツを受信可能な通信端末装置について、従来から多数の出願がなされている。
例えば、情報提供者からの情報提供サービスによって種々の情報提供を受ける通信端末装置において、通信端末装置に対して各通信端末装置のユーザニーズに沿った情報配信を行うために、配信希望情報を特定するためのキーワードを情報提供先（コンテンツサーバ）に登録しておき、情報提供先からキーワードに関連する情報を受信することのできる通信端末装置およびサーバが提案されている（例えば、特許文献１参照）。
【特許文献１】特開２００２−９９８１６号公報
【発明の開示】
【発明が解決しようとする課題】
【０００４】
しかしながら、上記した特許文献１に開示された技術によれば、ユーザは、情報提供先に予め配信希望情報に関するキーワードを登録しておく必要があるため、登録されているキーワードが、通信端末側でのユーザニーズにより現状に沿わない場合があり、この場合は、ユーザの嗜好に応じた情報配信を適正に行うことができない。例えば、ユーザが父から息子に変更になった場合、父がキーワードを「株価、ゴルフ」として登録していたとすれば、通信端末側ユーザ（息子）の希望に沿った情報は配信されない。
【０００５】
本発明は上記した課題を解決するためになされたものであり、通信端末装置側でのユーザニーズに沿った情報配信サービスを享受できる、通信端末装置および同装置における制御方法を提供することを目的とする。
【課題を解決するための手段】
【０００６】
上記した課題を解決するために本発明の通信端末装置は、情報提供先から配信される複数種の配信情報を受信する配信情報受信部と、前記配信情報受信部にて受信された前記配信情報を報知する報知部と、各種データを記憶する記憶部と、前記記憶部に記憶された前記データからキーワードを抽出するキーワード抽出部と、前記キーワード抽出部にて抽出された前記キーワードに応じて前記報知部での前記配信情報の報知態様を変更する報知態様変更部と、を備えている。
【０００７】
また、本発明の通信端末装置において、前記記憶部は、位置情報を含むデータを記憶し、前記キーワード抽出部は、前記位置情報をキーワードとして抽出し、前記報知態様変更部は、前記位置情報に関する情報を含む前記配信情報を優先的に報知してもよい。
【０００８】
また、本発明の通信端末装置において、前記記憶部は、使用者情報を含むデータを記憶し、前記キーワード抽出部は、前記使用者情報をキーワードとして抽出し、前記報知態様変更部は、前記使用者情報に関する情報を含む前記配信情報を優先的に報知してもよい。
【０００９】
また、本発明の通信端末装置において、前記記憶部は、スケジュール情報を含むデータを記憶し、前記キーワード抽出部は、前記スケジュール情報をキーワードとして抽出し、前記報知態様変更部は、前記スケジュール情報に関する情報を含む前記配信情報を優先的に報知してもよい。
【００１０】
また、本発明の通信端末装置において、前記キーワード抽出部は、前記配信情報が配信された月日に対応して記憶されている前記スケジュール情報からキーワードを抽出してもよい。
【００１１】
また、本発明の通信端末装置において、前記記憶部は、送信または受信されたメールのデータを記憶し、前記キーワード抽出部は、前記メールに含まれるキーワードを抽出し、前記報知態様変更部は、前記メールに含まれるキーワードに関する情報を含む前記配信情報を優先的に報知してもよい。
【００１２】
また、本発明の通信端末装置において、前記キーワード抽出部は、前記配信情報が配信された月日に受信または送信されたメールからキーワードを抽出してもよい。
【００１３】
また、本発明の通信端末装置において、使用者の選択操作によって前記配信情報の報知優先度を設定可能な優先度設定部を備え、前記報知態様変更部は、前記キーワード抽出部にて抽出されたキーワードが複数ある場合に、前記優先度設定部にて設定された前記配信情報の報知優先度に応じて、キーワードに関する情報を含む配信情報を優先的に報知してもよい。
【００１４】
上記した課題を解決するために本発明の通信端末装置における制御方法は、情報提供先から配信される複数種の配信情報を受信する、配信情報受信部と、各種データを記憶する記憶部と、報知部とを備えた通信端末装置における制御方法であって、前記受信された配信情報を前記報知部に報知するステップと、前記記憶部に記憶されたデータの中からキーワードを抽出するステップと、前記抽出されたキーワードに応じて前記報知部での前記配信情報の報知態様を変更するステップと、を有する。
【発明の効果】
【００１５】
本発明によれば、通信端末装置側でのユーザニーズに沿った情報配信サービスを享受できる、通信端末装置および同装置における制御方法を提供することができる。
【発明を実施するための最良の形態】
【００１６】
図１は、本発明の実施の形態に係る通信端末装置の内部構成を示すブロック図である。ここでは、通信端末装置として携帯電話が例示されている。
図１に示されるように、携帯電話は、通信部１１と、制御部１２と、記憶部１３と、音声処理部１４と、表示部１５と、操作部１６と、により構成される。
【００１７】
通信部１１は、不図示の基地局のいずれかによって割り当てられるチャネルを用いて基地局との間で通信網を介して無線信号の送受信を行う。すなわち、不図示のコンテンツサーバとは通信網を介して通信可能に接続され、コンテンツサーバからの例えばＢＣＭＣＳによる情報配信を受信可能になっている。
【００１８】
制御部１２は、記憶部１３に格納されたアプリケーションプログラムにしたがい携帯電話としての各種機能を実行する。例えば、電話の発着信、メール送受信、Ｗｅｂ（World Wide Web）閲覧、カメラ、ＢＣＭＣＳ受信、カレンダ表示等である。
制御部１２はまた、コンテンツサーバにより配信される情報を受信し、後述する記憶部１３に記憶し、表示部１５等に報知するとともに、記憶部１３に記憶されたデータの中からキーワードを抽出し、当該抽出されたキーワードに応じて配信情報の報知態様を変更する配信情報の報知方法を実現するための制御中枢となり、その内部構成等詳細については後述する。
【００１９】
記憶部１３には、このためのアプリケーションプログラムが格納される他、コンテンツサーバによって配信される配信情報や、作業情報等が割り付けられ記憶される。作業情報としては、後述する抽出されたキーワード等がある。
記憶部１３に記憶され、キーワード情報が抽出される抽出データとして、例えば、図２（ａ）〜（ｅ）に示されるように、プロフィール、位置情報、アドレス帳、受信メール、スケジュール情報等がある。また、記憶部１３に記憶された抽出データに基づき抽出されるキーワードのデータ構造が図３に示されている。例えば、プロフィール情報から、「横浜」、「５７歳」、「山羊座」、「ＡＢ型」、「特実商事」の各キーワードが抽出され、優先度やグループ内順位が割り付けられている。優先度と順位については後述する。
【００２０】
記憶部１３は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２１】
音声処理部１４は、スピーカ（ＳＰ）から出力される音声信号やマイクロフォン（ＭＩＣ：以下、マイクという）を介して入力される音声信号の処理を行う。
すなわち、音声処理部１４は、マイクから入力される音声を増幅し、アナログ／デジタル変換を行い、更に符号化等の信号処理を施し、デジタルの音声データに変換して制御部１２に出力する。
また、音声処理部１４は、制御部１２から供給される音声データに復号化、デジタル／アナログ変換、増幅等の信号処理を施し、アナログの音声信号に変換してスピーカに出力する。
【００２２】
表示部１５は、例えば、液晶表示パネルや有機ＥＬ（Electro-Luminescence）パネルなどの表示デバイスを用いて構成されており、制御部１２から供給される映像信号に応じた画像を表示する。
具体的には、表示部１５は、発信時における発信先の電話番号、着信時における着信相手の電話番号、受信メールや送信メールの内容、日付、時刻、バッテリ残量、発信成否、待ち受け画面、そして配信情報などの各種情報や画像を表示する。
【００２３】
操作部１６には複数のキーが割当てられ、これらのキーがユーザによって操作（押圧および解放）された場合に、その操作内容に対応する信号を発生し、これをユーザの指示として制御部１２に入力する。ここでは操作部１６により配信情報の報知に対する優先順位に関する情報入力が行われる。
【００２４】
制御部１２は、その内部構成が機能展開され示されているように、配信情報受信部１２１と、キーワード抽出部１２２と、報知態様変更部１２３と、優先度設定部１２４とにより構成される。
【００２５】
配信情報受信部１２１は、情報提供先から配信される複数種の配信情報を受信する機能を有する。また、キーワード抽出部１２２は、記憶部１３に記憶された配信情報からキーワードを抽出する機能を有する。また、報知態様変更部１２３は、キーワード抽出部１２２にて抽出されたキーワードに応じて報知部での配信情報の報知態様を変更する機能を有する。ここで、報知部とは、音声処理部１４に接続されるスピーカ、あるいは表示部１５が該当し、報知態様の変更とは、抽出データから抽出されたキーワードに関する配信情報を優先的に報知する、または、当該キーワードに関する配信情報のみを報知することをいう。
【００２６】
記憶部１３が位置情報を含むデータを記憶し、キーワード抽出部１２２が位置情報をキーワードとして抽出した場合、報知態様変更部１２３は、該当する位置情報に関する情報を含む配信情報を優先的に報知する。
また、記憶部１３が使用者情報を含むデータを記憶し、キーワード抽出部１２２が使用者情報をキーワードとして抽出した場合、報知態様変更部１２３は、使用者情報に関する情報を含む配信情報を優先的に報知してもよい。
【００２７】
また、記憶部１３が、スケジュール情報を含むデータを記憶し、キーワード抽出部１２２がスケジュール情報をキーワードとして抽出した場合、報知態様変更部１２３は、スケジュール情報に関する情報を含む配信情報を優先的に報知してもよい。このとき、キーワード抽出部１２２は、配信情報が配信された月日に対応して記憶されているスケジュール情報からキーワードを抽出する機能を有する。
また、記憶部１３が、送信または受信されたメールのデータを記憶し、キーワード抽出部１２２がメールに含まれるキーワードを抽出した場合、報知態様変更部１２３は、メールに含まれるキーワードに関する情報を含む配信情報を優先的に報知してもよい。このとき、キーワード抽出部１２２は、配信情報が配信された月日に受信、または送信されたメールからキーワードを抽出する機能を有する。
【００２８】
優先度設定部１２４は、使用者の選択操作によって配信情報の報知優先度を設定する機能を有し、このとき、報知態様変更部１２３は、キーワード抽出部１２２にて抽出されたキーワードが複数ある場合に、優先度設定部１２４にて設定された配信情報の報知優先度に応じて、キーワードに関する情報を含む配信情報を優先的に報知する。
【００２９】
以下、本発明の実施の形態に係る通信端末装置の動作について詳細に説明する。携帯電話は、例えば、ニュース等のマルチキャストによって配信される情報を配信情報受信部１２１にて受信し、記憶部１３に記憶する。また、記憶部１３には、例えば、図２に示されるように、（ａ）プロフィール、（ｂ）位置情報、（ｃ）アドレス帳、（ｄ）受信メール、（ｅ）スケジュール情報等のデータが記憶されている。
キーワード抽出部１２２は、これらの情報を抽出データとして解析してユーザが興味のあるジャンルを抽出し、ニュースカテゴリの優先順位付けを行う。そして、報知態様変更部１２３により、その優先順位を基にユーザが興味のあるカテゴリのニュースを優先的に報知する。ここでは、表示部１５に表示することにより報知するものとする。
【００３０】
以下、記憶部１３に記憶される配信情報毎にケースに分けして具体的な動作説明を行う。
［ケース１］
制御部１２は、フォルダの開閉操作、あるいは記憶部１３に記憶されるニュース閲覧アプリケーションプログラムを起動することにより、記憶部１３にプロフィールとして記憶されている、例えば、図２（ａ）に示されるような星座、血液型、誕生日等のデータを参照し、星座、血液型、誕生日の占い等の配信情報を優先的に表示する。
【００３１】
［ケース２］
制御部１２は、フォルダの開閉操作、あるいはニュース閲覧アプリケーションプログラムを起動することにより、記憶部１３に位置情報として記憶されている、例えば、図２（ｂ）に示されるような住所等データを参照し、その地域の天気予報等の抽出された位置情報に該当する地域に関する配信情報を優先的に表示する。
【００３２】
［ケース３］
制御部１２は、フォルダの開閉操作、あるいはニュース閲覧アプリケーションプログラムを起動することにより、記憶部１３にアドレス帳として記憶されているデータを参照してキーワードを抽出する。例えば、図２（ｃ）に示されるように、アドレス帳がグループ分けされており、「サッカー」、「ゴルフ」、「お料理」にグルーピングされていたとする。そして、アドレス帳のそれぞれのグループ毎の登録件数が、３０件、１５件、３件であった場合、「サッカー」、「店」、「料理」の順に優先順位を付与して、グループ名をキーワードとして抽出する。
キーワード抽出部１２２は、記憶部１３に記憶されたこれらデータの中からキーワードに合致したニュースやニュースカテゴリを検索し、記憶されているニュースやデータの中から「サッカー」をキーワードとして検索し、検索結果として出力されるデータに高い優先順位を付与する。同じ処理を「店」や「料理」についても行う。そして、報知態様変更部１２３は、優先順位が高いものから表示（報知）を行う。
【００３３】
［ケース４］
制御部１２は、フォルダの開閉操作、あるいはニュース閲覧アプリケーションプログラムを起動することにより、記憶部１３に記憶されている受信メールやスケジュール等のような日付データを有するデータからキーワードを抽出し、配信日時と同じ日付データを有するデータに含まれるキーワードに関する配信情報を優先的に表示させる。
【００３４】
図４に優先度設定画面の一例が示されている。図４（ａ）は、ある日に配信され、記憶部１３に記憶されたそれぞれ配信情報であり、図４（ｂ）は、それぞれの配信情報に対しユーザによって定義される表示優先順位である。
ここでは、「総合ニュース」、「スポーツニュース」、「天気予報」、「占い情報」、「広告」の各カテゴリに対して表示順位（優先度情報）を設定するが、この優先度情報は、ユーザニーズによって変更可能である。すなわち、ユーザが操作部１６の選択操作により優先度情報を設定入力することにより、優先度設定部１２４により優先度が設定される。この優先度は、図３に示すキーワードグループに示されるように記憶部１３に記憶されるデータに対して種別毎に優先度を設定することができる。ここでは、優先度は、１＞２＞３＞４＞５となり、０が設定された場合、表示を希望する配信情報が無いケースとなる。したがって、図３に示される設定された優先度に応じてここでは、「天気予報」＞「スポーツニュース」＞「広告」＞「占い情報」＞「総合ニュース」の順で表示される。
【００３５】
このとき、報知態様変更部１２３は、キーワード抽出部１２２にて抽出されたキーワードが複数ある場合に、優先度設定部１２４にて設定された配信情報の報知優先度に応じて、キーワードに関する情報を含む配信情報を表示部１５に優先的に表示（報知）する。
【００３６】
以下、「地域情報」、「スケジュール」、「趣味」、「占い」の順で表示優先度が設定されているものとして、図５に示すフローチャートを参照しながら本発明の実施の形態に係る通信端末装置の動作について詳細に説明する。
【００３７】
制御部１２は、配信情報受信部１２１にて受信した配信情報を記憶部１３に記憶している（ステップＳ５００）。
キーワード抽出部１２２は、フォルダの開閉操作やニュース閲覧アプリケーションプログラムの起動を契機に、記憶部１３を参照し、記憶部１３に記憶されたプロフィール情報の住所データなどの場所に関する情報を取得する（ステップＳ５０１）。そして、地域情報を含めた配信情報を検索する（ステップＳ５０２）。次に、表示済みの配信情報と重複しているか否かを判定し（ステップＳ５０３）、重複していない場合（ステップＳ５０３“Ｙｅｓ”）、報知態様変更部１２３により該当する配信情報を表示部１５に表示する（ステップＳ５０４）。そして、記憶部１３に表示済み配信情報の日時を記憶する（ステップＳ５０５）。
【００３８】
なお、ステップＳ５０３の判定処理において重複していると判定された場合（ステップＳ５０３“Ｙｅｓ”）、次に優先度が高い「スケジュール（予定）」について、同様のキーワート抽出ならび報知処理が実行される。
すなわち、キーワード抽出部１２２は、記憶部１３に記憶されているスケジュールを参照して、ある期間分のスケジュールから、日付や場所を抽出する（ステップＳ５０６）。そして、日付や場所を含めた配信情報を検索し（ステップＳ５０７）、検索の結果得られる配信情報が表示済みの配信情報と重複しているか否かを判定する（ステップＳ５０８）。重複していない場合（ステップＳ５０８“Ｎｏ”）、報知態様変更部１２３により該当する配信情報を表示部１５に表示する（ステップＳ５０９）。そして、記憶部１３に表示済み配信情報の日時を記憶する（ステップＳ５１０）。
【００３９】
なお、ステップＳ５０８の判定処理において、重複していると判定された場合（ステップＳ５０８“Ｙｅｓ”）、次に優先度が高い「趣味」について、同様のキーワート抽出ならび報知処理が実行される。
すなわち、キーワード抽出部１２２は、記憶部１３に記憶されているアドレス帳を参照して、アドレス帳からグループ毎にアドレスが多い順に順位付けを行い、そのグループ名をキーワードとして取得する（ステップＳ５１１）。そして、地域情報を含めた配信情報を検索する（ステップＳ５１２）。次に、検索の結果得られる配信情報が表示済みの配信情報と重複しているか否かを判定する（ステップＳ５１３）。重複していない場合（ステップＳ５１３“Ｎｏ”）、報知態様変更部１２３により該当する配信情報を表示順位にしたがい表示部１５に表示する（Ｓ５１４）。そして、記憶部１３に表示済み配信情報の日時を記憶する（ステップＳ５１５）。
【００４０】
なお、ステップＳ５０８の判定処理において重複していると判定された場合（ステップＳ５０８“Ｙｅｓ”）、次に優先度が高い「占い」について、同様のキーワート抽出ならび報知処理が実行される。
すなわち、キーワード抽出部１２２は、記憶部１３に記憶されているプロフィールを参照し、そのプロフィールの中から、星座、血液型、誕生日等占いに関する情報をキーワードとして抽出する（ステップＳ５１６）。そして、占い情報を含めた配信情報を検索する（ステップＳ５１７）。次に、検索の結果得られる配信情報が表示済みの配信情報と重複しているか否かを判定する（ステップＳ５１８）。重複していない場合（ステップＳ５１８“Ｎｏ”）、報知態様変更部１２３により該当する配信情報を表示順位にしたがい表示部１５に表示する（ステップＳ５１９）。そして、記憶部１３に表示済み配信情報の日時を記憶する（ステップＳ５２０）。なお、ステップＳ５１８の判定処理において重複していると判定された場合（ステップＳ５１８“Ｙｅｓ”）、上記した一連の処理を終了する。
【００４１】
以上説明のように本発明の実施の形態に係る通信端末装置によれば、記憶部に記憶されたデータからキーワードを抽出し、受信した複数の配信情報の中から抽出されたキーワードに関する配信情報を選択し、当該選択された配信情報を報知することで、記憶部１３に記憶されているデータに基づくキーワードに応じて配信情報を報知することができるため、通信端末装置を管理するユーザニーズに応じて適正な情報を報知することができる。
例えば、通信端末装置のユーザが父から息子に変更になった場合に、アドレス帳やプロフィール情報が適宜変更される可能性が高いため、変更されたデータに応じたキーワードに基づき配信情報を報知することにより、通信端末装置のユーザニーズに沿った配信情報の報知が行える。
【００４２】
なお、本発明の実施の形態に係る通信端末装置における配信情報の報知方法は、例えば、図１に示されるように、情報提供先から配信される複数種の配信情報を受信する、少なくとも記憶部１３と、報知部（音声処理部１４または表示部１５）とを備えた通信端末装置における配信情報の報知方法であって、例えば、図５のフローチャートに示されるように、前記受信された配信情報を前記報知部（１４または１５）に報知するステップ（Ｓ５００）と、前記受信された配信情報を前記記憶部１３に記憶させるステップ（Ｓ５００）と、前記記憶部１３に記憶されたデータの中からキーワードを抽出するステップ（Ｓ５０１〜Ｓ５０３、Ｓ５０６〜Ｓ５０８、Ｓ５１１〜Ｓ５１３、Ｓ５１６〜Ｓ５１８）と、前記抽出されたキーワードに応じて前記配信情報の報知態様を変更するステップ（Ｓ５０４、Ｓ５０９、Ｓ５１４、Ｓ５１９）と、を有するものである。
【００４３】
本発明の実施の形態に係る通信端末装置における配信情報の報知方法によれば、特にキーワード登録をしなくとも、通信端末装置側でのユーザニーズに沿った情報配信サービスを享受できる。
【００４４】
なお、上記した本発明の実施の形態によれば、通信端末装置として携帯電話に適用する場合のみ例示したが、携帯電話に限らず、ＰＤＡ（Personal Digital Assistants）、やゲーム機等にも同様に適用が可能である。
なお、図１に示す本発明の実施の形態に係る通信端末装置の制御部１２が持つ各構成ブロックの機能は、全てをソフトウェアによって実現しても、あるいはその少なくとも一部をハードウエアで実現してもよい。例えば、配信情報受信部１２１、キーワード抽出部１２２、報知態様変更部１２３、優先度設定部１２４におけるデータ処理は、１または複数のプログラムによりコンピュータ上で実現してもよく、また、その少なくとも一部をハードウエアで実現してもよい。
【図面の簡単な説明】
【００４５】
【図１】本発明の実施の形態に係る通信端末装置の内部構成を示すブロック図である。
【図２】図１に示す記憶部に記憶されるデータの一例を示す図である。
【図３】図１に示す記憶部に記憶された配信情報に基づき抽出されるキーワードのデータ構造の一例を示す図である。
【図４】本発明の実施の形態に係る通信端末装置による優先度設定画面の一例を示す図である。
【図５】本発明の実施の形態に係る通信端末装置の動作を示すフローチャートである。
【符号の説明】
【００４６】
１１…通信部、１２…制御部、１３…記憶部、１４…音声処理部、１５…表示部、１６…操作部、１２１…配信情報受信部、１２２…キーワード抽出部、１２３…報知態様変更部、１２４…優先度設定部。
【図１】
2008252347.tif 000003
【図２】
2008252347.tif 000004
【図３】
2008252347.tif 000005
【図４】
2008252347.tif 000006
【図５】
2008252347.tif 000007